(57)【要約】【課題】実使用中の機械、新規の機械に関係なく使用可能な、設計しやすく、安価な据付マウントから、高減衰性能の据付マウントまで、多様性があり、使いやすい双晶型制振合金を用いた据付マウントを提供することを目的とする。【解決手段】双晶型制振合金製で板状のマウント本体と、マウント本体を支える部位を有するマウント支えで構成することを特徴とする。【選択図】図１
2010058257.tif 000002
【特許請求の範囲】
【請求項１】
少なくとも工作機械、産業機械、測定器械、除振台、定盤、その他の機械本体を支える据付マウントであって、双晶型の制振合金からなる、一つ、又は複数の板状のマウント本体と、前記マウント本体を床から浮かすように支えるマウント支えとを有することを特徴とする据付マウント。
【請求項２】
前記マウント本体の板状形状の中心に前記機械本体の足先端の球面部をガイドする円錐状の穴を形成したことを特徴とする特許請求の範囲第１項記載の据付マウント。
【請求項３】
前記マウント支えの素材が鋼材、または鋳鉄系の素材、強磁性型の制振合金、転位型の制振合金、双晶型の制振合金の中から選択される、少なくとも何れか一種類であることを特徴とする特許請求の範囲第１項記載の据付マウント。
【請求項４】
前記複数の板状のマウント本体のうち少なくとも一部の材質を高剛性金属としたことを特徴とする特許請求の範囲第１項記載の据付マウント。
【発明の詳細な説明】
【技術分野】
【０００１】  本発明は、双晶型の制振合金を用いた据付マウントに関する。
【背景技術】
【０００２】  鋼材や鋳鉄を用いた据付マウントは知られている。しかしながら、鋼材の据付マウントは、機械本体を支えるのみの機能を重視したものであり、また、鋳鉄の据付マウントは鋳鉄の減衰性能を利用してはいるが、減衰性能が少ないため、大きな振動吸収効果を得ることができなかった。そこで、減衰効果が大きく、鋼材に近い強度を持つ双晶型の制振合金が注目され、研究が進められている。（例えば、非特許文献１、非特許文献２）
【特許文献１】特開２００２−１４６４９８号公報
【非特許文献１】機械学会北陸支部研究会、２００１年、４月；中山健司、浜嘉夫、中村達也、吉田喜一
【非特許文献２】雑誌「金属」、アグネス出版、２００２年３月；吉田喜一
【発明の開示】
【発明が解決しようとする課題】
【０００３】  しかしながら、双晶型制振合金を用いた据付マウントの提案は少なく、また、限られた研究範囲に限定されている。本発明では、実使用中の工作機械、産業機械、測定器械、除振台、定盤、その他の機械、新規の工作機械、産業機械、測定器械、除振台、定盤、その他の機械に関係なく使用可能な、設計しやすく、安価な据付マウントから、高減衰性能の据付マウントまで、多様性があり、使いやすい双晶型制振合金を用いた据付マウントを提供することを目的とする。
【課題を解決するための手段】
【０００４】  上記課題を解決するために、本発明に係る据付マウントでは、双晶型制振合金製で板状のマウント本体と、マウント本体を支える部位を有するマウント支えで構成することを特徴とする。【０００５】  また、安価な据付マウントから、高減衰性能の据付マウントまで、提供するために、マウント支えの材質を鋼材のみに限定せず、剛性が高く、減衰性能がある多種類の素材、例えば、鋳鉄系の素材、強磁性型の制振合金、転位型の制振合金、双晶型の制振合金、等、で構成することを特徴とする。
【発明の効果】
【０００６】  本発明によれば、双晶型制振合金製のマウント本体と、マウント本体を支えるマウント支えの２つの部位で構成することにより、大きな減衰効果を得ることができる据付マウントを提供することが可能になった。【０００７】  さらに、マウント本体の厚みを変化させることで、据付マウントの強度を設計できるため、設計がしやすくなる。【０００８】  さらにマウント支えはマウント本体の厚み変化には左右されないため、種類が少なくなる。【０００９】  さらに、高価な制振合金を特定の部位のみで使用できるため、使用重量が限定でき、マウント支えは安価な材料でも採用可能であるため、安価な据付マウントが提供可能である。【０００１０】  マウントは本来、実使用中の機械、新規の機械に関係なく使用可能な構造であるが、本発明の据付マウントはマウント本体のみの交換により設計を変更することも可能である。【０００１１】  さらに、本発明の据付マウントはマウント支えの素材を変化させることで、据付マウントの減衰性能を変化することができ、支える機械本体の多様な目的に適した構成を提供することが可能である。【０００１２】  また、マウント本体を複数枚重ねることもでき、マウント本体の双晶型制振合金の減衰性能のみでなく、マウント本体同士の摩擦による減衰効果も合わせることが可能である。【０００１３】  さらに、複数枚重ねたマウント本体のうち少なくても一枚を高剛性金属、例えば鋼やステンレス、バネ鋼、等にすることで高剛性、かつ高減衰のマウントも提供できる。その場合には複数のマウント本体を溶接、ネジ締結、かしめ、等で固定することもできる。
【発明を実施するための最良の形態】
【０００１４】  以下、本発明に係る据付マウントについて図面を参照しながら説明する【０００１５】  図１は機械本体を支える本発明の実施例を示した断面図である。【０００１６】  図１において、機械本体１のめねじ部１ａにジャッキボルト２のおねじ部２ａが勘合している。前記機械本体１とジャッキボルト２はロックナット３により強固に固定されていて、ジャッキボルト２の先端近くに略球面状の部位２ｂがある。また、前記ジャッキボルト２の先端には円筒状の突起部２ｃがある。略球面状の部位２ｂはマウント本体４の略円錐状の穴４ａにより支えられ、円筒状の突起部２ｃがマウント本体４の中心に明いた穴４ｂに勘合していて、ジャッキボルト２とマウント本体４の中心を出している。マウント本体４の外周部４ｃはマウント支え５の穴５ａと緩い勘合ではめあっている。マウント本体はマウント支え５の面５ｂにより支えられている。マウント支え５の図中、下の面は床６に面して、本発明の構造全体を支える構造になっている。【０００１７】  マウント本体４は円盤状の形状が製造しやすいが、鍛造、等により多角形や楕円形状のものにしても本発明の効果は得られる。【０００１８】  マウント本体４は双晶型制振合金を素材としている。双晶型制振合金は、負荷を加えると容易に双晶が発生、移動し、双晶の発生、移動によって運動エネルギーを吸収することができる。（例えば、特許文献１）【０００１９】  また、双晶型制振合金は振動振幅が大きくなるほど制振性能が大きくなるため、制振合金のなかでは使いやすい合金として知られている。【０００２０】  マウント支え５は強度に問題がなければ素材としてあらゆる材料を採用できる。鋼材は安価であるが減衰性能は少ない。双晶型制振合金は高価であり、剛性は弱いが据付マウントの減衰効果を大きくできる。鋳鉄は高周波数の振動吸収効果を向上することができる。強磁性型制振合金は使い方が難しいが高強度で高減衰の据付マウントを提供できる。【０００２１】  図２はマウント本体の説明図である。【０００２２】  図２において、マウント本体の形状の外形寸法Ｄと厚みｔを変化することで、据付マウントの剛性を変えることができる。【０００２３】  そもそも、高減衰能の据付マウントの研究によれば、据付マウントは据付マウントの剛性に起因する共振周波数よりも大きな周波数の振動を減衰することで機械本体の振動による各種問題を解決したり、床から伝達される据付マウントの剛性に起因する共振周波数よりも大きな周波数の振動を減衰することで、機械本体に影響する床振動を対策できる。【０００２４】  外形寸法Ｄを大きくすると、据付マウントの強度は大きくなるため、据付マウントが支えられる重量は大きくできる。そのため、共振周波数は小さく設計できる。また、Ｄを決定するとマウント支え５の形状は一義的に決定できる。【０００２５】  ｔを変化することで据付マウントの共振周波数を変化することができる。本実施例ではｔを変化して共振周波数を変化しているが、図３のように基本の厚みのマウント本体を重ねて使用することで全体の剛性を変化させて、共振周波数を変化する方法もある。その場合には重ね合わせたマウント本体４Ａとマウント本体４Ｂに摩擦による減衰性能が加味されるため、より性能が高い据付マウントを得ることができる。【０００２６】  また、４Ａまたは４Ｂを別の高剛性金属、例えば鋼やステンレス、バネ鋼、等にすることでより剛性の高いマウントを提供する方法もある。その場合には４Ａと４Ｂをネジや溶接、かしめ、等で固定することで剛性や減衰能を変化させることも可能である。【０００２７】  以上のように、本発明によれば双晶型制振合金製のマウント本体と、マウント本体を支えるマウント支えの２つの部位で構成することにより、大きな減衰効果を得ることができる据付マウントを提供することができ、マウント本体の厚みを変化させることで、据付マウントの強度を設計できるため、設計がしやすくなる。さらにマウント支えはマウント本体の厚み変化には左右されないため、種類が少なくなり、さらに、高価な制振合金を特定の部位のみで使用できるため、使用重量が限定でき、マウント支えは安価な材料でも採用可能であるため、安価な据付マウントが提供可能である。
また、本発明の据付マウントはマウント本体のみの交換により設計を変更することも可能である。さらに、本発明の据付マウントはマウント支えの素材を変化させることで、据付マウントの減衰性能を変化することができ、支える機械本体の多様な目的に適した構成を提供することが可能である。
【図面の簡単な説明】
【０００２８】
【図１】機械本体を支える本発明の実施例を示した断面図である。
【図２】マウント本体の断面図である。
【図３】マウント本体を複数枚で構成した実施例の断面図である。
【符号の説明】
【０００２９】１機械本体
２ジャッキボルト
３ロックナット
４マウント本体
５マウント台
６床
【図１】
2010058257.tif 000003
【図２】
2010058257.tif 000004
【図３】
2010058257.tif 000005